(57)【要約】【課題】  上方に、水栓金具，鏡等が配設される場合でも、良好に設置できる洗面器置き台を提供する。【解決手段】  浴室の壁面に対し、台本体２が軸６を介し略水平状に突出する使用位置から、壁面側に起立される収納位置に亘り回動可能に構成された洗面器置き台１において、軸６は、取付金具５に設けられた縦長孔５ｃ内を上下方向にもスライド移動可能に構成されている。【選択図】  図１
2005087559.tif 000002
【特許請求の範囲】
【請求項１】
浴室の壁面に対し、台本体が軸を介し略水平状に突出する使用位置から、壁面側に起立される収納位置に亘り回動可能に構成された洗面器置き台において、前記軸は、上下方向にもスライド移動可能に構成されていることを特徴とする洗面器置き台。
【請求項２】
前記台本体には、支持片が回動可能に設けられているとともに、該支持片には、シャンプー等の備品を収納できる収納部が備えられていることを特徴とする請求項１に記載の洗面器置き台。
【請求項３】
前記台本体の内部が収納スペースとなっていることを特徴とする請求項１または請求項２に記載の洗面器置き台。
【発明の詳細な説明】
【技術分野】
【０００１】
本発明は、浴室の壁面に設置され、上面に洗面器を置くことのできる洗面器置き台に関するものである。
【背景技術】
【０００２】
従来、浴室の洗い場側壁面に対し、軸を介し回動可能な洗面器置き台が存在する。
【特許文献１】特開２００２−２０９７８７号公報
【発明の開示】
【発明が解決しようとする課題】
【０００３】
上記従来構造の洗面器置き台においては、壁面に対し軸が固定されているため、例えば、洗面器置き台の上方に水栓金具，鏡等が配設される場合等においては、洗面器置き台を上方へ回動させると水栓金具，鏡に干渉することとなるため、このような場合には洗面器置き台を設置できないという問題点があった。
【課題を解決するための手段】
【０００４】
本発明は上記従来の問題点に鑑み案出したものであって、上方に水栓金具，鏡等が配設される場合等においても、良好に設置できる洗面器置き台を提供せんとするものであり、請求項１は、浴室の壁面に対し、台本体が軸を介し略水平状に突出する使用位置から、壁面側に起立される収納位置に亘り回動可能に構成された洗面器置き台において、前記軸は、上下方向にもスライド移動可能に構成されていることである。
また、請求項２は、前記台本体には、支持片が回動可能に設けられているとともに、該支持片には、シャンプー等の備品を収納できる収納部が備えられていることである。
また、請求項３は、前記台本体の内部が収納スペースとなっていることである。
【発明の効果】
【０００５】
本発明は、浴室の壁面に対し台本体が軸を介し回動可能で、軸は上下方向にもスライド移動可能に構成されていることにより、台本体が軸を介し回動し、しかも、その軸が上下方向にスライドできるため、洗面器置き台の上方に水栓金具，鏡，シャワー装置等が配設されていても、邪魔になることなく、良好に洗面器置き台を設置できるものとなる。
【０００６】
また、台本体には、支持片が回動可能に設けられ、支持片には収納部が備えられていることにより、洗面器置き台の支持片に良好にシャンプー等の備品を収納させておくことができ、使用位置においても、また収納位置においても、良好に洗面器置き台にシャンプー等を収納できるものとなる。
【０００７】
また、台本体の内部が収納スペースとなっていることにより、台本体の内部を中空にして、良好に収納スペースを確保することができ、収納機能も兼ね備えた洗面器置き台となる。
【実施例】
【０００８】
以下、本発明の実施例を図面に基づいて説明する。
図１は、洗面器置き台の使用位置における斜視構成図である。
この洗面器置き台１は、台本体２と、この台本体２に回動可能に設けられている支持片４を備え、台本体２は、中空状に形成されて、内部に収納スペースＳを形成しており、上面には開閉可能に上面板３が設けられ、この上面板３上に洗面器を載せることができるものである。
【０００９】
また、上面板３の前部部位には、上下方向に貫通して、手を差し込むことのできる手差し穴３ｂが形成されており、この手差し穴３ｂ内に手を入れて、台本体２を上方側へ回動させることができるように構成されている。
即ち、台本体２の後面側は、軸６を介して、浴室の洗い場側の壁面に固定された取付金具５に取り付けられており、取付金具５は、壁面にビス等で固定される固定片５ａと、この固定片５ａから洗い場側へ突出する突出片５ｂを備え、この突出片５ｂには、上下方向に長い縦長孔５ｃが形成されており、この縦長孔５ｃ内に、台本体２の軸６が嵌め込まれている。
【００１０】
軸６は、縦長孔５ｃに沿って、縦長孔５ｃ内で上下方向にスライド移動できるものであり、台本体２を、図２のように上方側に回動させてゆき、更に、図３に示すように、台本体２を、浴室の壁面に平行状に起立させて収納でき、この時に、軸６は、取付金具５に対し回動するとともに、縦長孔５ｃ内を下動して、図３のような収納位置となる。
収納位置では、軸６が縦長孔５ｃの下端側に配置され、縦長孔５ｃの上下方向寸法分だけ洗面器置き台１が下方側へ配置されることとなり、洗面器置き台１の上方に、水栓金具，鏡，シャワー装置等が設置される場合においても、これらの水栓金具等と干渉することなく、図３のように洗面器置き台１を壁面に沿ってコンパクトに収納できるものとなる。
【００１１】
なお、洗面器置き台１の台本体２が、図１の使用位置から、図３の収納位置に亘り回動する時に、同時に、支持片４が台本体２に対し回動するように構成されており、図１の使用位置では、支持片４は垂下状態となり、浴室の床面に下端が当接して、良好に台本体２を支持し、その強度を高めることができるものである。
また、図３の収納位置では、支持片４は、台本体２と平行状になって、壁面に平行状にコンパクトに収納されるものである。
【００１２】
図４，図５，図６は、使用位置から収納位置に亘る回動状態における内部機構を示す縦断面構成図である。
前記軸６には、回動可能に一対のリンクバー７ｂ，７ｃが連結されており、リンクバー７ｂには更にリンクバー７ａが回動可能に連結されており、リンクバー７ａの上端は、台本体２の後部に回動可能に固設されたものとなっている。
また、リンクバー７ｃの下端には、回動可能にリンクバー７ｄが連結されており、リンクバー７ｄの下端は、取付金具５に回動可能に連結されている。
【００１３】
更にリンクバー７ｄには、回動可能に連結アーム８が連結されており、連結アーム８の前端が支持片４に回動可能に連結されている。また、支持片４の上部には、回動可能に連結バー９が設けられており、連結バー９の上端が台本体２に連結されたものとなっている。
このようなリンクバー７ａ，７ｂ，７ｃ，７ｄと、連結アーム８と連結バー９で、リンク機構が構成されており、軸６を中心として台本体２が使用位置から収納位置に回動される際に、リンク機構を介し、台本体２と連動して支持片４が良好に回動されるように構成されている。
【００１４】
なお、図７は変更例を示すものであり、図７の使用状態における洗面器置き台１の支持片４の前面下端部には、前方側（洗い場側）へ突出して収納棚部１０ａが設けられており、更に、この収納棚部１０ａの上方に、平行状に落下防止バー１０ｂが支持片４に備えられている。この落下防止バー１０ｂと収納棚部１０ａで、収納部１０が構成されている。
また、図７では、上面板３は、壁面Ｗから洗い場側に向かって水勾配が形成されており、また、上面板３には複数の排水溝３ａが形成されて、この排水溝３ａを通して良好に排水できるものとなっている。
【００１５】
このような構造では、図８の側面図で示すように、落下防止バー１０ｂの内側にシャンプー１２等の備品を入れ、収納棚部１０ａ上に載せて収納することができ、洗面器置き台１の上面板３上に洗面器１１を置いて、洗面器１１内に湯を溜めて洗髪等を行う際に、良好にシャンプー１２を取り出す等して使用でき、使用勝手が良好なものとなる。
【００１６】
なお、この洗面器置き台１を、図７の使用位置から、壁面Ｗ側へ回転させて、図９のように収納することができ、この図９の収納状態においても、支持片４に設けられた収納部１０には、図１０に示すように、良好にシャンプー１２等の備品を収納しておくことができるものであり、使用位置においても、また収納位置においても、良好に収納部１０に備品を収納させることができるものである。
【００１７】
なお、図９に示すように、軸６の外周に、例えばダンパー等で構成されるスローダウン機構６ａを組み込んでおけば、急激な回動を防ぐことができるものとなり、収納位置から使用位置へ洗面器置き台１を回転させる時等に、急激な回転を防いで、手を挟んだりすることを良好に防止できるものとなる。
【図面の簡単な説明】
【００１８】
【図１】洗面器置き台の使用位置における斜視構成図である。
【図２】洗面器置き台を上方へ回転させる状態の斜視構成図である。
【図３】洗面器置き台を収納位置に収納させた状態の斜視構成図である。
【図４】洗面器置き台の使用位置における縦断面を示す内部構造図である。
【図５】洗面器置き台を回転させる過程における内部構造図である。
【図６】洗面器置き台を収納位置に収納した状態の内部構造図である。
【図７】洗面器置き台の変更例を示す使用位置における斜視構成図である。
【図８】図７の使用位置における側面構成図である。
【図９】図７の洗面器置き台の収納状態の斜視構成図である。
【図１０】図９の側面構成図である。
【符号の説明】
【００１９】
１  洗面器置き台
２  台本体
３  上面板
３ａ  排水溝
３ｂ  手差し穴
４  支持片
５  取付金具
５ａ  固定片
５ｂ  突出片
５ｃ  縦長孔
６  軸
７ａ，７ｂ，７ｃ，７ｄ  リンクバー
８  連結アーム
９  連結バー
１０  収納部
１０ａ  収納棚部
１０ｂ  落下防止バー
１１  洗面器
１２  シャンプー
【図１】
2005087559.tif 000003
【図２】
2005087559.tif 000004
【図３】
2005087559.tif 000005
【図４】
2005087559.tif 000006
【図５】
2005087559.tif 000007
【図６】
2005087559.tif 000008
【図７】
2005087559.tif 000009
【図８】
2005087559.tif 000010
【図９】
2005087559.tif 000011
【図１０】
2005087559.tif 000012